(57)【要約】【課題】録画した番組を短時間で視聴することができる録画再生装置を提供する。【解決手段】本発明に係る録画再生装置は、テレビ放送を受信する受信部と、受信したテレビ放送の番組を記録媒体に録画する録画制御部と、記録媒体に録画された複数の番組の中から同時再生する主再生番組と副再生番組とを選択する番組選択部と、選択された主再生番組と副再生番組とを記録媒体から再生する再生部と、主再生番組を親画面に表示させ、副再生番組を親画面の一部に設けられる子画面に表示させるよう、主再生番組のビデオ信号と副再生番組のビデオ信号とを合成するビデオ合成部とを備えたことを特徴とする。【選択図】  図１
2009152974.tif 000002
【特許請求の範囲】
【請求項１】
テレビ放送を受信する受信部と、
受信した前記テレビ放送の番組を記録媒体に録画する録画制御部と、
前記記録媒体に録画された複数の番組の中から同時再生する主再生番組と副再生番組とを選択する番組選択部と、
選択された前記主再生番組と前記副再生番組とを前記記録媒体から再生する再生部と、
前記主再生番組を親画面に表示させ、前記副再生番組を前記親画面の一部に設けられる子画面に表示させるよう、前記主再生番組のビデオ信号と前記副再生番組のビデオ信号とを合成するビデオ合成部と、
を備えたことを特徴とする録画再生装置。
【請求項２】
前記録画制御部は、
前記記録媒体に録画するときに、放送される番組の中から前記副再生番組になりうる番組を副再生候補番組として選択し、選択した前記副再生候補番組を示す識別情報を前記記録媒体に併せて記録し、
前記番組選択部は、
前記識別情報に基づいて前記記録媒体の中から前記副再生番組を選択する、
ことを特徴とする請求項１に記載の録画再生装置。
【請求項３】
前記受信部は、電子番組ガイド情報を前記テレビ放送から抽出し、
前記録画制御部は、
前記副再生候補番組を、前記電子番組ガイド情報に含まれる特定のジャンル情報に基づいて選択する、
ことを特徴とする請求項２に記載の録画再生装置。
【請求項４】
前記識別情報は、その副再生候補番組が既に再生されたか否かを示すフラグ情報を含み、
前記番組選択部は、
前記フラグ情報に基づいて、未再生の前記副再生候補番組の中から前記副再生番組を選択し、
前記記録制御部は、
再生された前記副再生候補番組の前記フラグ情報を再生済となるように更新して記録する、
請求項２に記載の録画再生装置。
【請求項５】
前記録画制御部は、
前記記録媒体に録画するときに、放送される番組の中から前記副再生番組になりうる番組を副再生候補番組として選択し、選択した前記副再生候補番組を示す識別情報を前記記録媒体に併せて記録し、
前記識別情報に基づいて前記副再生候補番組の一覧を表示し、表示された前記一覧の中から所望の副再生番組を指定可能なユーザインタフェースをさらに備え、
前記番組選択部は、
前記ユーザインタフェースを介して指定された前記副再生番組を、前記記録媒体に記録された前記副再生候補番組の中から選択する、
ことを特徴とする請求項１に記載の録画再生装置。
【請求項６】
（ａ）テレビ放送を受信し、
（ｂ）受信した前記テレビ放送の番組を記録媒体に録画し、
（ｃ）前記記録媒体に録画された複数の番組の中から、同時再生する主再生番組と副再生番組とを選択し、
（ｄ）選択された前記主再生番組と前記副再生番組とを前記記録媒体から再生し、
（ｅ）前記主再生番組を親画面に表示させ、前記副再生番組を前記親画面の一部に設けられる子画面に表示させるよう、前記主再生番組のビデオ信号と前記副再生番組のビデオ信号とを合成する、
ステップを備えたことを特徴とする録画再生方法。
【請求項７】
ステップ（ｂ）では、
前記記録媒体に録画するときに、放送される番組の中から前記副再生番組になりうる番組を副再生候補番組として選択し、選択した前記副再生候補番組を示す識別情報を前記記録媒体に併せて記録し、
ステップ（ｃ）では、
前記識別情報に基づいて前記記録媒体の中から前記副再生番組を選択する、
ことを特徴とする請求項６に記載の録画再生方法。
【請求項８】
ステップ（ａ）では、電子番組ガイド情報を前記テレビ放送から抽出し、
ステップ（ｂ）では、
前記前記副再生候補番組を、前記電子番組ガイド情報に含まれる特定のジャンル情報に基づいて選択する、
ことを特徴とする請求項７に記載の録画再生方法。
【請求項９】
前記識別情報は、その副再生候補番組が既に再生されたか否かを示すフラグ情報を含み、
ステップ（ｃ）では、
前記フラグ情報に基づいて、未再生の前記副再生候補番組の中から前記副再生番組を選択し、
（ｆ）再生された前記副再生候補番組の前記フラグ情報を再生済となるように更新して記録する、ステップをさらに備える、
ことを特徴とする請求項７に記載の録画再生方法。
【請求項１０】
ステップ（ｂ）では、
前記記録媒体に録画するときに、放送される番組の中から前記副再生番組になりうる番組を副再生候補番組として選択し、選択した前記副再生候補番組を示す識別情報を前記記録媒体に併せて記録し、
（ｇ）前記識別情報に基づいて前記副再生候補番組の一覧を表示し、表示された前記一覧の中からユーザによって指定される所望の副再生番組の指定情報を入力する、ステップをさらに備え、
ステップ（ｃ）では、
指定された前記副再生番組を、前記記録媒体に記録された前記副再生候補番組の中から選択する、
ことを特徴とする請求項６に記載の録画再生方法。
【発明の詳細な説明】
【技術分野】
【０００１】
本発明は、録画再生装置及び録画再生方法に係り、特に、各種テレビ放送番組を録画し再生する録画再生装置及び録画再生方法に関する。
【背景技術】
【０００２】
近時、視聴可能なテレビ放送番組は急激に増加してきている。従来からのアナログ地上波放送やアナログ衛星方法による放送番組に加えて、デジタル地上波放送、デジタルＢＳ放送、或いはデジタルＣＳ放送による放送番組が視聴可能となっている。ユーザはこれらの放送媒体から提供される多くの番組の中から自分の好みに合った番組を選択して視聴することができる。
【０００３】
また、これらの放送番組のタイトルや放送日時に関する情報、所謂電子番組ガイド（ＥＰＧ：Electronic  Program  Guide）も同時に放送されており、ユーザは電子番組ガイドをテレビ画面に表示させ、自分の好みに合った番組を選択することもできる。
【０００４】
一方、テレビ放送番組を録画して再生する録画再生装置の種類も多様化してきている。従来のＶＴＲ（Video  Tape  Recorder）やＤＶＤ（Digital  Versatile  Disc）録画装置の他、ＨＤＤ（Hard  Disk  Drive）を備えたハードディスク録画装置が普及している。また、記録媒体の録画容量（或いは録画時間）も益々増大してきており、ハードディスク録画再生装置におけるＨＤＤの大容量化が進む一方、例えばＨＤ  ＤＶＤやＢＤ等の高密度記録が可能な光ディスクに録画可能な高密度録画再生装置も普及し始めている。
【０００５】
録画容量の増大に伴ってその記録媒体に録画可能な番組の数も増加する。このため、ユーザは以前ほど記録媒体の残容量を気にすることなく多くの番組を録画することが可能となる。この結果、放送番組を録画する段階では番組を選択せずに、長時間連続して、例えば一日中録画し、再生する段階で視聴したい番組を選択するといった視聴形態も考えられる。つまり、録画時点では無作為に連続的に録画し、再生時に番組を選択するという視聴形態である。
【０００６】
このような視聴形態においては、大量に録画された番組の中から所望の番組を短時間で選択することが可能な選択支援方法があれば便利である。このような選択支援方法の１つとして、例えば、特許文献１には、インターネット等を介してＷＥＢサーバから視聴率情報を取得し、録画した番組タイトルとその視聴率とをユーザに提供する技術を開示している。
【特許文献１】特開２００３−１８９２０７号公報
【発明の開示】
【発明が解決しようとする課題】
【０００７】
ところで、今日のテレビ放送では電子番組ガイドが提供されており、この電子番組ガイドを利用することによって極めて簡単な操作で確実な予約録画をすることが可能になっている。この場合、前述した無作為な録画と異なり、少なくとも番組録画を予約する時点においてはユーザの好みによって選択された番組が予約され、ユーザは録画後の視聴を望んでいるはずである。
【０００８】
しかしながら、録画再生装置の録画容量が大きくなると、録画番組はその装置にどんとん溜まっていく一方、録画番組を視聴したくても視聴する時間が多忙等に理由によってなかなか取れないユーザが増えてきている。
【０００９】
本発明は上記事情に鑑みてなされたもので、録画した番組を短時間で視聴することができる録画再生装置及び録画再生方法を提供することを目的とする。
【課題を解決するための手段】
【００１０】
上記課題を解決するため、本発明に係る録画再生装置は、請求項１に記載したように、テレビ放送を受信する受信部と、受信した前記テレビ放送の番組を記録媒体に録画する録画制御部と、前記記録媒体に録画された複数の番組の中から同時再生する主再生番組と副再生番組とを選択する番組選択部と、選択された前記主再生番組と前記副再生番組とを前記記録媒体から再生する再生部と、前記主再生番組を親画面に表示させ、前記副再生番組を前記親画面の一部に設けられる子画面に表示させるよう、前記主再生番組のビデオ信号と前記副再生番組のビデオ信号とを合成するビデオ合成部と、を備えたことを特徴とする。
【００１１】
また、本発明に係る録画再生方法は、請求項６に記載したように、（ａ）テレビ放送を受信し、（ｂ）受信した前記テレビ放送の番組を記録媒体に録画し、（ｃ）前記記録媒体に録画された複数の番組の中から、同時再生する主再生番組と副再生番組とを選択し、（ｄ）選択された前記主再生番組と前記副再生番組とを前記記録媒体から再生し、（ｅ）前記主再生番組を親画面に表示させ、前記副再生番組を前記親画面の一部に設けられる子画面に表示させるよう、前記主再生番組のビデオ信号と前記副再生番組のビデオ信号とを合成する、ステップを備えたことを特徴とする。
【発明の効果】
【００１２】
本発明に係る録画再生装置及び録画再生方法によれば、録画した番組を短時間で視聴することができる。
【発明を実施するための最良の形態】
【００１３】
本発明に係る録画再生装置及び録画再生方法の実施形態について添付図面を参照して説明する。
【００１４】
（１）基本構成及び基本動作
図１は、本実施形態に係る録画再生装置１の構成例を示すブロック図である。録画再生装置１は、受信部１０、エンコード部２０、デコード部３０、ディスクフォーマット変換処理部４０、一時記憶部４１、ＤＡ変換部４３、４４、ユーザインタフェース部４５、制御部５０、光ディスクドライブ部６０、ＨＤＤ（Hard  Disk  Drive）部７０等を備えて構成されている。
【００１５】
録画再生装置１は、テレビ放送番組を受信部１０で受信し、受信した番組を光ディスク１００やＨＤＤ部７０に録画する。光ディスク１００は書換え可能型の光ディスクであり、例えばＤＶＤ−ＲＡＭ、ＤＶＤ−ＲＷ、ＨＤ  ＤＶＤ−ＲＡＭ、ＨＤ  ＤＶＤ−ＲＷ等である。これらの記録媒体に録画された番組を再生するときにはオーディオ信号とビデオ信号に分離され、オーディオ信号はスピーカ２００に、またビデオ信号はＴＶディスプレイ２０１に供給される。図１では、スピーカ２００やＴＶディスプレイ２０１を録画再生装置１の外部構成とした例を示しているが、これらを録画再生装置１の内部構成としてもよい。また、録画再生装置１をインターネット等のネットワーク２０２を介して、外部のサーバ２０３に接続可能に構成してもよい。
【００１６】
受信部１０は、アナログ放送チューナ部１１とデジタル放送チューナ部１２とを有している。アナログ放送チューナ部１１は地上波アナログ放送や衛星アナログ放送を受信し、デジタル放送チューナ部１２は、地上波デジタル方法や衛星デジタル放送を受信する。
【００１７】
エンコード部２０は、ＡＤ変換部２１、２２、オーディオエンコード部２３、ビデオエンコード部２４、フォーマッタ部２５を有している。
【００１８】
アナログチューナ部１１からはオーディオ信号とビデオ信号が分離されてエンコーダ部２０に入力され、ＡＤ変換部２１、２２でデジタル化された後オーディオエンコード部２３、及びビデオエンコード部２４に夫々入力される。
【００１９】
オーディオエンコード部２３では、オーディオ信号に対してＡＣ３方式やＭＰＥＧオーディオ方式等による圧縮処理を行った後、フォーマッタ部２５に出力する。また、ビデオエンコード部２４では、ビデオ信号に対してＭＰＥＧ方式による圧縮処理を行った後、フォーマッタ部２５に出力する。
【００２０】
フォーマッタ部２５では、圧縮されたオーディオ信号とビデオ信号とを多重化し、プログラムストリームに変換してディスクフォーマット変換部４０に出力する。
【００２１】
一方、デジタル放送チューナ部１２からは、オーディオ信号とビデオ信号とが多重化されたＴＳ（トランスポートストリーム）が出力され、フォーマッタ部２５を経てディスクフォーマット変換部４０に出力される。
【００２２】
また、フォーマッタ部２５では管理情報ファイルが生成され、プログラムストリームやトランスポートストリームと共にディスクフォーマット変換部４０に出力される。
【００２３】
ディスクフォーマット変換部４０では、入力されたデータを分割して誤り訂正符号を付加し、ＥＣＣブロックの単位で光ディスクドライブ部６０に出力する。
【００２４】
光ディスクドライブ部６０では、入力されたデータに対して所定の符号変調を施した後、レーザ光によって光ディスクの記録面に記録（録画）する。
【００２５】
なお、一時記憶部４１は、光ディスクドライブ部６０がシーク中やトラックジャンプを行っている時等のビジー状態にある場合にデータを一時的に退避するためのメモリであり、ビジー状態が解除されると退避したデータは光ディスクドライブ部６０へ送られる。
【００２６】
ＨＤＤ部７０に対しても光ディスクドライブ部６０に出力されるデータとほぼ同様のデータが出力される。ＨＤＤ部７０と光ディスク１００に対しては同じデータを並列に録画してもよいし、また選択的にいずれか一方に録画してもよい。
【００２７】
ＨＤＤ部７０や光ディスク１００に録画されたデータ（番組）を再生するときには、記録時とほぼ逆の処理となる。ＨＤＤ部７０の再生部（図示せず）や光ディスクドライブ部６０の再生部（図示せず）から読み出された録画データはディスクフォーマット変換部４０で誤り訂正処理が行われ、デコード部３０に入力される。デコード部３０では、多重化されているデータをオーディオデータとビデオデータに分離すると共に、圧縮されている各データに対して伸長処理を行う。
【００２８】
デコード部３０から出力されたオーディオデータとビデオデータはＤＡ変換部４３、４４でアナログ信号に変換され、スピーカ２００とＴＶディスプレイ２０１に夫々出力される。
【００２９】
（２）同時再生処理
本実施形態に係る録画再生装置１では、番組の録画時には同時録画を必ずしも必要とするものではなく、時間を異にして行う一般的な録画形態を前提としている。予約録画等の機能を用いて、或いは視聴の都度、ユーザが録画を望む番組を選択し、光ディスク１００やＨＤＤ部７０に順次録画していく。勿論、録画再生装置１が同時録画機能を有している場合には同時録画してもよく、これを排除するものではない。
【００３０】
一方、今日の光ディスク１００やＨＤＤ部７０の記録容量は従来に比べると飛躍的に増加してきており、時間を異にした録画や同時録画を何度か繰り返しているうちにこれらの記録媒体には録画番組が大量に溜まっていくことになる。そしてユーザ（視聴者）が多忙の場合には、一度も再生していない未視聴の録画番組が記録媒体に大量に残ってしまうことになる。
【００３１】
そこで、本実施形態に係る録画再生装置１では、光ディスク１００やＨＤＤ部７０等の記録媒体に録画されている複数の番組の中から、主再生番組と副再生番組の２つの番組を選択して同時再生し、主再生番組をＴＶディスプレイ２０１の親画面に、また副再生番組をＴＶディスプレイ２０１の子画面に同時表示させることを特徴としている。この同時再生機能により、記録媒体に溜まっている未視聴の録画番組を短時間で視聴することが可能となる。
【００３２】
図２は、本実施形態における同時再生時の表示例を示した図である。親画面はＴＶディスプレイ２０１のほぼ全体の表示領域を示す画面であり、子画面は親画面の一部の領域（例えば図２に例示したように右下の領域）に設けられる小さな表示画面である。
【００３３】
図３は、親画面と子画面に同時再生させるためのデコード部３０（第１の形態）の細部構成例を示すブロック図である。親画面の表示と子画面の表示の振り分けは、制御部５０の番組選択部５２から出力される主再生番組／副再生番組指示信号に基づいて行われる。
【００３４】
光ディスク１００やＨＤＤ部７０に対しても制御部５０の番組選択部５２から主再生番組／副再生番組指示信号が出力されており、光ディスク１００やＨＤＤ部７０では、記録媒体に録画されている複数の番組の中から、この指示信号に基づいて主再生番組と副再生番組を選択し、同時再生する。
【００３５】
同時再生された主再生番組と副再生番組とは、ディスクフォーマット変換処理部４０からデコード部３０のバッファ部３１に入力される。バッファ部３１の出力は主再生番組／副再生番組指示信号に基づいてＡＶデコーダ（１）とＡＶデコーダ（２）とに振り分けられる。
【００３６】
ＡＶデコーダ（１）は、親画面に表示させるために主再生番組をデコードし、オーディオ信号とビデオ信号を生成する。一方、ＡＶデコーダ（２）は、子画面に表示させるために副再生番組をデコードしビデオ信号を生成する。音声は同時に聞くことはできないため、主再生番組の音声のみをデコードするものとしている。また、ＡＶデコーダ（２）では副再生番組を子画面のサイズに縮小する処理も行っている。
【００３７】
ビデオ合成部３６では、主再生番組のビデオと縮小された副再生番組のビデオとを合成し、図２に例示した親子画面のビデオを生成している。
【００３８】
デコード部３０（第１の形態）は、ＡＶデコーダ（１）３２とＡＶデコーダ（２）３４の２つのデコーダを具備しているためハードウェア規模は大きくなるものの、主再生番組と副再生番組とが分離されて並列に処理されるため制御がシンプルであり、開発コストを低く抑えることができる。
【００３９】
他方、図４は、デコード部３０ａ（第２の形態）の細部構成例を示すブロック図である。第２の形態は、１つのＡＶデコーダ（１）３２ａによって主再生番組と副再生番組とを時分割同時処理する構成となっている。第１の形態に比べると、ハードウェア規模は小さくすることができるものの開発コストは高くなる可能性がある。
【００４０】
上記の構成により、主再生番組と副再生番組を親画面と子画面に夫々表示させ、同時再生することができる。
【００４１】
ところで、同時再生といった場合、録画番組の内容を全く無視して２つの番組を親画面と子画面に振り分ける方法も考えられるが、この方法はあまり適切ではない。
【００４２】
一般に、ドラマ、映画、ドキュメンタリ等のジャンルの番組に対しては連続的な視聴形態がとられることが多い。これらの番組にはストーリの流れがあり、ある程度集中して連続的に視聴しないと番組の内容を十分楽しめない場合が多い。連続して集中的に視聴するためには、大きな画面、即ち親画面での再生が適していると考えられる。
【００４３】
これに対して、スポーツ、ニュース、バラエティ等のジャンルの番組には必ずしも一貫したストーリの流れはなく、断続的な、或いはそれ程集中することのない視聴形態でも十分である場合が多い。例えば、野球やサッカー等のスポーツ番組では得点シーンの前後のみ集中的に視聴し、その他の場面は所謂「流し見」で十分であるという視聴者も多い。また、ニュース番組では気になるニュースだけを見れば十分であり、バラエティ番組では好みのタレントが現れたときだけ見れば十分であり、その他の場面は「流し見」で十分であるという視聴者も多い。つまり、スポーツ、ニュース、バラエティ等のジャンルの番組は、小さな画面、即ち子画面での再生でも視聴者のニーズを満足させることが可能であると考えられる。
【００４４】
ドラマや映画、或いはスポーツやニュースといった番組のジャンル情報は、番組と同時に放送されるＥＰＧ情報に含まれている。アナログ放送の場合、ＴＶ信号のブランキング期間中に多重化されて放送されている。また、デジタル放送の場合には、トランスポートストリームの中に多重化されて含まれている。
【００４５】
本実施形態に係る録画再生装置１では、図１に示したようにこのＥＰＧ情報を放送番組毎に取得し、制御部５０の録画制御部５１に入力している。録画制御部５１では、ＥＰＧ情報から前述したジャンル情報を抽出し、このジャンル情報から録画しようとする番組が副再生番組の候補（副再生候補番組）であるか否かの判定を行っている。例えば、ジャンル情報がスポーツ、ニュース、バラエティ等の場合には、その番組を副再生候補番組とする識別情報を生成する。
【００４６】
この識別情報はフォーマッタ部２５に送られ、記録媒体に記録する管理情報ファイルの一部に組み込まれる。
【００４７】
管理情報ファイルの一部として、例えばＭＮＦＩＴ(マニュファクチャーインフォメーションテーブル)を利用することができる。一般に管理情報ファイルは光ディスクの規格によって細かく規定されているが、ＭＮＦＩＴは、製造メーカ毎に独自の情報を含ませることが許容されている領域である。
【００４８】
図５は、本実施形態において新たに定義するＭＮＦＩＴ内のファイル構造例を示す図である。ＭＮＦＩＴは、製造会社コードを示すＭＮＦＩ_ＩＤ、ファイル作成時刻を示すＭＮＦＩ_ＲＥＣ_ＴＭ、及び副再生候補番組の情報群のＭＮＦＩ_ＤＴから構成されている。また、ＭＮＦＩ_ＤＴは、副再生候補番組が次に続くことを示すコードＳＩＭＬ_ＰＭ_ＰＧコード、本領域のデータサイズや副再生候補番組の数を示すＤＡＴＡ_ＳＩＺＥ_ＰＧ数、及び具体的な副再生候補番組（＃１〜＃Ｎ）の情報を示すＳＭＬ_ＰＭ_情報＃ｎ（ｎ＝１〜Ｎ）から構成されている。
【００４９】
夫々のＳＭＬ_ＰＭ_情報には、副再生候補番組の具体的なインデックス（タイトル）が記載されている。このほか夫々のＳＭＬ_ＰＭ_情報には再生フラグが付されている。再生フラグは記録媒体に録画されている副再生候補番組が未再生か再生済みかを示すフラグである。例えば、録画された後一度も再生されていない場合には再生フラグは「０」に設定され、一度でも再生された場合には「１」に設定される。
【００５０】
図６は、テレビ放送を受信して記録媒体に記録するときの処理例を示すフローチャートである。
【００５１】
まず、ステップＳＴ１では、録画しようとする放送番組のＥＰＧ情報を取得する。ＥＰＧ情報は前述したように番組放送に多重化されている情報を抽出して取得する。この他、放送事業者等が管理するサーバ２０３からインターネット等のネットワーク２０２を介して取得してもよい。
【００５２】
次に取得したＥＰＧ情報から、録画しようとする放送番組のジャンル情報を抽出する（ステップＳＴ２）。そして、抽出したジャンル情報が副再生候補番組とすべきジャンルであるか否かを判定する（ステップＳＴ３）。例えば、その番組のジャンルがスポーツ、ニュース、バラエティ等のジャンルの場合には、子画面で再生してもそれ程支障はないため副再生候補番組にすると判定する。逆にその番組のジャンルがドラマ、映画、ドキュメンタリ等のジャンルの場合には親画面で再生すべき番組であり副再生候補番組にはしないと判定する。例えば、総てのジャンルを副再生候補番組とそれ以外（即ち主再生候補番組）とに関連付ける判定基準テーブルを予め保有しておき、この判定基準テーブルのジャンルをキーとして参照することにより、録画しようとする番組を副再生候補番組にするか否かを判定すればよい。なお、この判定基準テーブルはユーザによる編集ができるように構成してもよい。
【００５３】
副再生候補番組にすると判定された場合には、副再生候補番組として登録する（ステップＳＴ４）。具体的には、ＭＮＦＩＴ内のＳＭＬ_ＰＭ_情報として、副再生候補番組のインデックス（タイトル）を登録する。既に録画されている記録媒体に追加して録画する場合には、記録媒体の管理情報ファイルを読み出し、その中にあるＭＮＦＩＴ内のＳＭＬ_ＰＭ_情報に新たに録画する副再生候補番組のインデックスを追加登録する。ＳＭＬ_ＰＭ_情報には副再生候補番組のインデックス（タイトル）の他に再生フラグがあるが、録画する段階ではその副再生候補番組は当然ながら一度も再生されていないため、再生フラグを未再生（「０」）に設定して登録する。
【００５４】
その後、副再生候補番組のインデックスが登録（或いは追加登録）されたＭＮＦＩＴを管理情報ファイルの一部に組み込み、記録媒体に対して管理情報ファイルの記録と副再生候補番組の録画を行う（ステップＳＴ５）。
【００５５】
図７は、本実施形態において、録画した記録媒体を再生する処理の一例を示すフローチャートである。
【００５６】
まず、通常の再生と同様にして、親画面に表示させる主再生番組をユーザ操作によって選択する（ステップＳＴ１１）。
【００５７】
選択された主再生番組の再生に先立ち、光ディスク１００から管理情報ファイルが読み込まれる。ＨＤＤ部７０で再生する場合にも同様に管理情報ファイルが読み込まれる。
【００５８】
そして、管理情報ファイルのＭＮＦＩＴ内にあるＳＭＬ_ＰＭ_情報（副再生候補番組のインデックス（タイトル）と再生フラグ）を読み込む（ステップＳＴ１２）。
【００５９】
次に、ＳＭＬ_ＰＭ_情報から未再生の副再生候補番組の有無を判定する（ステップＳＴ１３）。副再生候補番組が全く登録されていないか、或いは登録されている副再生候補番組が総て再生済みの場合には、ステップＳＴ１８に進み、主再生番組を再生して親画面に表示させる。この場合には子画面の表示は行われない。
【００６０】
一方、未再生の副再生候補番組がある場合には、その番組のインデックス情報（ＰＧ_ＩＮＤＥＸ）を読み込み、該当する副再生候補番組を副再生番組として特定する。そしてその副再生番組を子画面で再生するようデコード部３０の設定を行う（ステップＳＴ１４）。未再生の副再生候補番組が複数ある場合には、例えば、その中の録画時刻の最も早い番組を副再生番組として特定する。
【００６１】
ステップＳＴ１２からステップＳＴ１４までの処理は主に制御部５０で行われ、特に副再生番組の選択及び特定は制御部５０の番組選択部５１で行われる処理である。
【００６２】
その後、主再生番組と副再生番組とを同時再生し、親画面と子画面とに夫々同時に表示させる（ステップＳＴ１５）。
【００６３】
ステップＳＴ１６は、副再生番組の再生終了を判定する処理であり、副再生番組の再生が終了すると、再生した副再生番組の再生フラグを未再生（「０」）から再生済（「１」）に変更し、変更されたＭＮＦＩＴを記録媒体に記録する。
【００６４】
図７に示した同時再生処理は、副再生番組を制御部５０の番組選択部５１が自動的に選択、特定する処理である。
【００６５】
これに対して、副再生番組の選択、特定をユーザに委ねる処理（手動選択）としてもよい。図８は、副再生番組を手動選択する形態での同時再生処理の一例を示すフローチャートである。図７との相違点は、ステップＳＴ１００、１０１、１０２の処理である。それ以外の処理は図７と同じ処理であり、図７と同じステップ番号を付している。
【００６６】
ステップＳＴ１００では、記録媒体から読み込んだＭＮＦＩＴ内のＳＭＬ_ＰＭ_情報（副再生候補番組のインデックス（タイトル）と再生フラグ）を表示させる処理である。
【００６７】
図９は、副再生候補番組一覧として、各番組のタイトルと再生済／未再生とを表示させている一例を示す図である。この一覧表示はＴＶディスプレイ２０１に表示させてもよいし、録画再生装置１内のユーザインタフェース部４５の表示部に表示させてもよい。
【００６８】
この一覧表示を見ながら、ユーザは子画面に再生する副再生番組を選択し特定する。副再生番組の選択はユーザインタフェース部４５が有する適宜の選択手段（例えば、リモートコントローラの選択ボタンと決定ボタン）を用いて行われる。
【００６９】
ステップ１０１では、ユーザによって副再生番組が選択されたか否かを判定する。なんらかの副再生番組が選択された場合には、その番組を子画面で再生するようにデコード部３０の設定を行う（ステップＳＴ１０２）。副再生番組が全く選択されなかった場合には、ステップＳＴ１８に進む。以降の処理は図７と同じであり、説明を省略する。
【００７０】
以上説明してきたように、本実施形態に係る録画再生装置１及び録画再生方法によれば、記録媒体に大量の録画された番組を親画面と子画面に同時に再生表示することができるため、録画した番組を短時間で視聴することができる。また、親画面と子画面に表示させる番組は番組のジャンル情報に基づいて分類され、親画面には親画面の表示に適した番組が、また子画面には子画面の表示に適した番組が選択される。このため、同時に視聴してもユーザに対するストレスが少なくまた効率的な視聴形態を実現することができる。
【００７１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７２】
【図１】本実施形態に係る録画再生装置の構成例を示すブロック図。
【図２】同時再生の表示例を示す図。
【図３】デコード部の構成（第１の形態）の一例を示すブロック図。
【図４】デコード部の構成（第２の形態）の一例を示すブロック図。
【図５】副再生候補番組の管理情報ファイル構造の一例を示す図。
【図６】本実施形態に係る録画処理の一例を示すフローチャート。
【図７】本実施形態に係る同時再生処理（副再生番組自動選択）の一例を示すフローチャート。
【図８】本実施形態に係る同時再生処理（副再生番組手動選択）の一例を示すフローチャート。
【図９】副再生候補番組一覧の表示例を示す図。
【符号の説明】
【００７３】
１  録画再生装置
１０  受信部
２０  エンコード部
３０  デコード部
３６  ビデオ合成部
５０  制御部
５１  録画制御部
５２  番組選択部
６０  光ディスクドライブ部
７０  ＨＤＤ部
【図１】
2009152974.tif 000003
【図２】
2009152974.tif 000004
【図３】
2009152974.tif 000005
【図４】
2009152974.tif 000006
【図５】
2009152974.tif 000007
【図６】
2009152974.tif 000008
【図７】
2009152974.tif 000009
【図８】
2009152974.tif 000010
【図９】
2009152974.tif 000011